(57)【要約】【課題】本発明は、既存の建築物の外装壁の表面に溝加工を施工するに当って、精度の良い溝加工を効率良く実施することが出来るガイド冶具を目的とする。【解決手段】一対のガイドレール８を複数の棧９で連結した第１フレーム２に枠状の第２フレーム３を上下方向に移動可能に取付け、かつ該第１フレーム２の所定位置にクサビ６或はワイヤー７よりなる保持具と、ボルト１３及びナット１４、１５よりなる距離調整部材とを取付け、さらに溝加工用のルーター４を前記第２フレーム３に沿って水平方向に移動可能に取付けて構成したガイド冶具１の構造である。【選択図】　　　　図１
2004124535.tif 000002
【特許請求の範囲】
【請求項１】
一対のガイドレールを複数の棧で接続した第１フレームと、該第１フレームのガイドレールに沿って縦方向に移動が可能な枠状の第２フレームと、該第２フレームの枠に沿って横方向に移動可能に配置された溝加工装置と、前記第１フレームを外壁面に一時的に保持し得る如く該第１フレームの所定位置に取付けられた保持具とを組合せて構成したことを特徴としたガイド冶具。
【請求項２】
第１フレームの距離を一定に保つことが可能な距離調整部材を該第１フレームの所定位置に取付固定して構成したことを特徴とした請求項１のガイド冶具。
【発明の詳細な説明】
【０００１】
【発明の属する技術分野】
本発明は、既存の建築物の外装壁の表面に溝加工を施工する際に使用されるガイド冶具に係り、特に建築物の外壁面に安定した状態で一時的に保持出来、かつルーター等の溝加工装置を正確に移動させて溝加工を施すことが可能なガイド冶具に関するものである。
【０００２】
【従来の技術】
近年、建物の外装材として軽量気泡コンクリートパネル（以下ＡＬＣパネルと表示する）が大量に使用され、最近では、軽量で高い耐火性と断熱性を発揮する軽量気泡コンクリートパネルを用いて外壁を構成した住宅が多くなっている。このような住宅でも、表面の塗装材は経時的に劣化するため、劣化した部分を補修することが必要となる。このような場合などに、劣化した部分を新築時と同様の状態に戻すような処理や、新築時とな異なる仕様で改修する所謂リフォームを行うことがある。
【０００３】
本件特許出願人は、既存の外装壁表面にリフォームを施すに当っては、外装壁の表面に所定の溝加工を施して目地模様を形成し、外装壁全体のイメージを大きく変化させる方法を採用し、既存の外装壁表面のリフォームを、施工性、経済性、意匠性及び耐久性に優れた加工方法で実施するために、例えば特許文献１、或は、特願２００２−８５８４号、特願２００２−６００３５号等に示す発明を開発して特許出願している。
【０００４】
【特許文献１】
特開２００１−３５５３２４号公報
【０００５】
【発明が解決しようとする課題】
既存の外装壁表面にリフォームを施すに当って、外装壁の表面に所定の溝を設けて目地模様を形成して全体のイメージを変化させるリフォーム方法は、比較的施工が容易でコストが安価であり、タイル・サイディングボードを積層する場合と異なって建築物に不必要な重量を掛ける心配はないが、次のような問題があった。
【０００６】
即ち、既存の外装壁に現場で溝加工を施さなければならないので、工場でＡＬＣパネルの表面に溝加工する場合と異なり、精度の高い溝加工を施工することが困難であった。特に、垂直状態に起立させている外装壁の表面に溝加工をする場合には、外装仕上げ材として施された塗装による誤差があり、直線を含む意図した精度の良い形状の溝加工が困難である問題があった。
【０００７】
本発明に係るガイド冶具は、前述の従来の問題点に鑑み開発された全く新しい技術であって、特に一対のガイドレールと複数の棧とで構成した第１フレームに枠状の第２フレームをＹ軸方向に移動可能に配置し、かつ該第２フレームにルーター等の溝加工装置をＸ軸方向に移動可能に取付け、さらにクサビ、ワイヤー等の保持具を第１フレームに取付けて目地或は足場等に第１フレームを取付けて、第１フレームを外装面に一時的に安定した状態で保持し得るようにしたガイド冶具の技術を提供するものである。
【０００８】
【課題を解決するための手段】
本発明に係るガイド冶具は、前述の従来の問題点を根本的に改善した発明であって、その第１発明の要旨は、一対のガイドレールを複数の棧で接続した第１フレームと、該第１フレームのガイドレールに沿って縦方向に移動が可能な枠状の第２フレームと、該第２フレームの枠に沿って横方向に移動可能に配置された溝加工装置と、前記第１フレームを外壁面に一時的に保持し得る如く該第１フレームの所定位置に取付けられた保持具とを組合せて構成したことを特徴としたガイド冶具である。
【０００９】
前述の第１発明のガイド冶具に於ては、第１フレームを一対のガイドレールに複数の棧を接続して形成し、かつ枠状の第２フレームを第１フレームのガイドレールに沿って縦方向に移動可能に配置し、さらに溝加工装置を第２フレーム枠に沿って横方向に移動可能に取付けて構成したので、該溝加工装置はＸ軸及びＹ軸のいずれ方向にもガイド冶具に沿って移動させることが出来る。従って、外装壁の表面に極めて精度の良い縦溝及び横溝の溝加工を施工することが出来る。
【００１０】
また、前述の第１発明に於ては、クサビ或はワイヤー等の保持具を第１フレームの所定位置に取付けたので、これ等の保持具を外壁の目地に打込むか、或は外壁に沿って設置された足場に引掛けることによって、第１フレームを建築物の外装壁に沿って安定した状態で一時的に保持させることが出来る。
【００１１】
本発明に係るガイド冶具の第２発明の要旨は、前記第１フレームの距離を一定に保つことが可能な距離調整部材を該第１フレームの所定位置に取付固定して構成したことを特徴とした請求項１のガイド冶具である。
【００１２】
前述の第２発明に於ては、第１フレームの所定位置に距離調整部材を取付けたので、外装壁表面の塗装を剥離した状態の外壁素面に該距離調整部材の先端を当接し、かつ距離調整部材の長さを調節することによって、ガイド冶具の第１フレームと外壁素面との距離を一定に保つことが出来る。従って、第１フレームを外装壁表面に安定した状態で保持させると共に、溝加工装置で加工した外装材の溝の深さを常に一定の深さに保つことが出来る。
【００１３】
【発明の実施の形態】
図により本発明に係るガイド冶具の一実施例を具体的に説明すると、図１は本発明に係るガイド冶具の正面図、図２は図１のガイド冶具をクサビを介して外壁の目地部に取付ける状態を示す説明図、図３は図１のガイド冶具をワイヤーを介して外壁に沿って構築された足場に取付ける状態を示す説明図である。
【００１４】
図４は図１のガイド冶具を一定の距離を保って外壁の表面に取付ける状態の側面図、図５は図１のガイド冶具とルーターとの関係を示す斜視説明図、図６は図１のガイド冶具を用いて溝加工を施工する状態の斜視説明図である。
【００１５】
図１乃至図６に於て、１は本発明に係るガイド冶具であって、第１フレーム２と、この第１フレーム２に沿って摺動し得る第２フレーム３と、該第２フレーム３に沿って摺動し得る溝加工用の回転式切削工具（ルーター）４と、第１フレーム２を外壁５の表面に沿って保持し得るクサビ６或はワイヤー７等の保持具によって構成されている。
【００１６】
前記第１フレーム２は、図に示す如く、垂直方向に平行に並列された一対のガイドレール８と、これ等のガイドレール８に所定の間隔を保って掛け渡された複数の棧９とより構成されている。
【００１７】
前記第２フレーム３は、第１フレーム２の一対のガイドレール８に掛け渡すことが可能な長方形の枠より形成されており、該一対のガイドレール８に沿って上下方向（縦方向）にスライド可能に取付けられている。この第２フレーム３の両側には取手１０が取付けられている。また、第２フレーム３は、第１フレーム２の棧９に対応する所定の位置で停止することが出来るように構成されている。
【００１８】
前記ルーター４は、図５及び図４に示す如く、枠状の第２フレーム３の上下縁に設けられた一対のガイドレール３ａに沿って左右方向（横方向）、即ち水平方向にスライドすることが出来るように構成されている。第１フレーム２の上縁には、図２に示すようなクサビ６か、或は図３に示すようなワイヤー７が取付けられている。
【００１９】
該ワイヤー７の場合には、フック１１を介して第１フレーム２に取付けられている。前述の図２に示すクサビ６を使用するに当っては、図２に例示する如く、このクサビ６を外壁５に設けられた水平目地１２内に差し込むことによって、第１フレーム２を外壁５に沿って保持することが出来る。また、ワイヤー７を使用するに当っては、図３に例示する如く、ワイヤー７を足場（図示せず）に係止して吊下げることによって、第１フレーム２を外壁５に沿って保持することが出来る。
【００２０】
第１フレーム２の所定位置（例えば一対のガイドレール８の上下部の４ヶ所）には、特に図１及び図４に示す如く、ボルト１３、第１フレーム２に溶着された固定ナット１４、回動ナット１５から構成される距離調整部材が取付けられている。
【００２１】
前述の距離調整部材は、外壁５の表面に一時的に保持された第１フレーム２と外壁５の素面５ｂとを一定の距離に保つための装置である。使用に当っては、図４に示す如く、外壁５の表面に塗着された塗層５ａを除去して外壁５の素面５ｂを露出し、距離調整部材のボルト１３の先端をこの素面５ｂに当接しながらボルト１３を回転させることによって、第１フレーム２と素面５ｂとの距離を正確に決定することが出来る。さらに、回動ナット１５を回動してボルト１３を締結して固定する。
【００２２】
本発明に係るガイド冶具１は、前述の構成と作用とを有するので、このガイド冶具１を使用し、ルーター４で外壁５の表面に溝加工を施す場合には、特に図５及び図６に示す如く、第１フレーム２を外壁５の表面に所定の距離を保って保持した後、第２フレーム３を第１フレーム２に沿って順に上下方向に移動すると共に、ルーター４を第２フレーム３に沿って水平方向に移動させながら、そのルーター４の先端に設けられた回転刃４ａを外壁５の表面に当接することによって、常に巾と深さとが均一で、かつ直線状の縦溝及び横溝を夫々正確な間隔を保って精度良く形成することが出来る。
【００２３】
前記実施例に於ては、溝加工装置としてルーター４を使用したが、ルーター４の他にトリマー、チップソー、カッター等も使用することが出来る。また、前記実施例に於ては、距離調整部材をボルト１３とナット１４、１５で構成したが、間隔調整可能であればその他にも使用することが出来る。
【００２４】
【発明の効果】
本発明に係るガイド冶具に於ては、第１フレームを一対のガイドレールに複数の棧を接続して形成し、かつ枠状の第２フレームを第１フレームのガイドレールに沿って移動可能に配置し、さらに溝加工装置を第２フレーム枠に沿って移動可能に取付けて構成したので、該溝加工装置はＸ軸及びＹ軸のいずれ方向にもガイド冶具に沿って移動させることが出来る効果を有する。従って、外装壁の表面に極めて精度の良い溝加工を施工することが出来る効果を有している。
【００２５】
また、本発明に係るガイド冶具に於ては、クサビ或はワイヤー等の保持具を第１フレームの所定位置に取付けたので、これ等の保持具を外壁の目地に打込むか、或は外壁に沿って設置された足場に引掛けることによって、第１フレームを建築物の外装壁に沿って安定した状態で一時的に保持させることが出来る効果も有している。
【００２６】
本発明に係る加工冶具に於ては、第１フレームの所定位置に距離調整部材を取付けた場合には、該距離調整部材の先端を当接し、かつ距離調整部材の長さを調節することによって、ガイド冶具の第１フレームと外壁素面との距離を一定に保つことが出来る効果を有する。従って、第１フレームを外装壁表面に安定した状態で保持させると共に、溝加工装置で加工した溝の深さを常に一定の深さに保つことが出来る効果を有している。
【図面の簡単な説明】
【図１】本発明に係るガイド冶具の正面図である。
【図２】図１のガイド冶具をクサビを介して外壁の目地部に取付ける状態を示す説明図である。
【図３】図１のガイド冶具をワイヤーを介して外壁の目地部に取付ける状態を示す説明図である。
【図４】図１のガイド冶具を一定の距離を保って外壁の表面に取付ける状態の側面図である。
【図５】図１のガイド冶具とルーターとの関係を示す斜視説明図である。
【図６】図１のガイド冶具を用いて溝加工を施工する状態の斜視説明図である。
【符号の説明】
１　　　ガイド冶具
２　　　第１フレーム
３　　　第２フレーム
３ａ　　ガイドレール
４　　　ルーター
４ａ　　回転刃
５　　　外壁
５ａ　　塗層
５ｂ　　素面
６　　　クサビ
７　　　ワイヤー
８　　　ガイドレール
９　　　棧
１０　　取手
１１　　フック
１２　　水平目地
１３　　ボルト
１４　　固定ナット
１５　　回動ナット
【図１】
2004124535.tif 000003
【図２】
2004124535.tif 000004
【図３】
2004124535.tif 000005
【図４】
2004124535.tif 000006
【図５】
2004124535.tif 000007
【図６】
2004124535.tif 000008